(57)【要約】【課題】  未使用時はカメラ本体内に格納され、使用時にカメラ外形から突出し液晶画面をミラー，接眼レンズを介して確認できる折り畳み液晶ファインダを設けることにより、軽量，薄型化を図ることができ、しかも視度調整し画像を拡縮して確認することができるディジタルカメラを提供する。【解決手段】  カメラ本体側面にファインダ５が設けられている。ミラー１９を付設したカバー２０はカメラ本体に枢着されており、さらにフレネル接眼レンズ１５がカバー２０にヒンジ１７によって枢着されている。カバー２０を開くと、フレネル接眼レンズ１５が開く。液晶画面１３はミラー１９で反射され、フレネル接眼レンズ１５で視度調整され、拡大または縮小されて撮影者によって確認できる。【選択図】        図３
2005086517.tif 000002
【特許請求の範囲】
【請求項１】
被写体に対し同じ方向に撮影レンズ，撮像素子を配列した撮影光学系を有し、前記撮影レンズから取り入れた画像を表示する液晶画面を、一端をカメラボディに枢着したミラーに対面するように配置したカメラにおいて、
前記ミラーの前面位置に一端をミラーに枢着した接眼レンズを配置し、前記ミラーを前記カメラボディへの枢着部を軸に所定角度開くことにより、前記接眼レンズが前記ミラーの前面位置から回動して所定の位置に配置される機構を有し、
カメラ使用時、折り畳んであるミラーを開き前記接眼レンズを通して前記液晶画面の画像を確認可能にしたことを特徴とする折り畳み液晶ファインダ付きディジタルカメラ。
【請求項２】
前記カメラの外形は、
前記撮影光学系の光軸方向に対する直角方向の幅を、光軸方向の奥行き寸法に対し短く、かつ高さを、該奥行き寸法より大きな寸法になるように形成し、
該カメラ外形の下部は片手で把持することが可能な形状で、該片手の親指または人指し指でカメラ外形の前面または後面に配置したシャッタレリーズボタンを操作可能にしたことを特徴とする請求項１記載の折り畳み液晶ファインダ付きディジタルカメラ。
【請求項３】
前記折り畳み液晶ファインダは、前記カメラ外形の左右のいずれかの面に有することを特徴とする請求項１または２記載の折り畳み液晶ファインダ付きディジタルカメラ。
【請求項４】
前記カメラ外形の前面または後面付近にズームボタンを有することを特徴とする請求項１，２または３記載の折り畳み液晶ファインダ付きディジタルカメラ。
【発明の詳細な説明】
【技術分野】
【０００１】
本発明は、電子カメラ，ディジタルカメラなどにおける折り畳み液晶ファインダに関する。
【背景技術】
【０００２】
ディジタルカメラについて、その軽量化および薄型化が押し進められている。
しかし、従来のデザイン形状のカメラでは、撮影レンズの全長を短くすることが難しいため、カメラの薄型化を実現することは困難であった。
そこで、ディジタルカメラの薄型を図るために撮影レンズから取り入れた液晶画面をカメラの側面に配置し、この画像をカメラボディに枢着したミラーを開くことによってミラーを通して確認できるファインダ系が提案されている。（特許文献１）
【特許文献１】特開平１１−２７５４０１号
【発明の開示】
【発明が解決しようとする課題】
【０００３】
この特許文献１は、ビデオカメラの画像を確認するモニタがボディ側面に枢着格納されており、使用時に開いて用い、分厚くて重い液晶パネルで構成される従来のビデオカメラの欠点を解決するためになしたものであり、被写体方向に対し直角方向に薄くできるカメラを実現できる。しかしながら、特許文献１は視度調整ができ、画像拡縮もできる機能を考慮していない。
本発明の目的は、未使用時はカメラ本体内に格納され、使用時にカメラ外形から突出し液晶画面をミラー，接眼レンズを介して確認できる折り畳み液晶ファインダを設けることにより、軽量，薄型化を図ることができ、しかも視度調整し画像を拡縮して確認することができるディジタルカメラを提供することにある。
【課題を解決するための手段】
【０００４】
前記目的を達成するために請求項１記載の発明は、被写体に対し同じ方向に撮影レンズ，撮像素子を配列した撮影光学系を有し、前記撮影レンズから取り入れた画像を表示する液晶画面を、一端をカメラボディに枢着したミラーに対面するように配置したカメラにおいて、前記ミラーの前面位置に一端をミラーに枢着した接眼レンズを配置し、前記ミラーを前記カメラボディへの枢着部を軸に所定角度開くことにより、前記接眼レンズが前記ミラーの前面位置から回動して所定の位置に配置される機構を有し、カメラ使用時，折り畳んであるミラーを開き前記接眼レンズを通して前記液晶画面の画像を確認可能にしたことを特徴とする。
請求項２記載の発明は、請求項１記載の発明において前記カメラの外形は、前記撮影光学系の光軸方向に対する直角方向の幅を、光軸方向の奥行き寸法に対し短く、かつ高さを、該奥行き寸法より大きな寸法になるように形成し、該カメラ外形の下部は片手で把持することが可能な形状で、該片手の親指または人指し指でカメラ外形の前面または後面に配置したシャッタレリーズボタンを操作可能にしたことを特徴とする。
請求項３記載の発明は、請求項１または２記載の発明において前記折り畳み液晶ファインダは、前記カメラ外形の左右のいずれかの面に有することを特徴とする。
請求項４記載の発明は、請求項１，２または３記載の発明において前記カメラ外形の前面または後面付近にズームボタンを有することを特徴とする。
【発明の効果】
【０００５】
上記構成によれば、撮影レンズ系を折り曲げて短くすることなく、カメラの薄型化，レンズの量産性を満足し、かつ撮影者が被写体に対面しながら液晶画面を視度が合った状態で適正な大きさのファインダ画像を見ることができる。また、カメラボディの形状を制限し，操作ボタンの適正な配置によりカメラが持ちやすくなり、撮影の際の操作性を従来の薄型，小型カメラに比較しさらに良好にすることができる。
【発明を実施するための最良の形態】
【０００６】
以下、図面を参照して本発明の実施の形態を詳しく説明する。
図１は、本発明によるディジタルカメラの外観を示す正面図、図２は、撮影レンズ系とファインダの関係を示す図、図３は、図１の液晶ファインダの詳細を説明するための図で、（ａ）は背面図，（ｂ）はＡ部分を拡大した平面図，（ｃ）はＢ部分の拡大図である。  カメラの厚さ（幅）Ｌ3 （図２参照）は、カメラの奥行きＬ1 に比較し非常に薄くしてある。撮影レンズ２およびＣＣＤ２２よりなる撮影レンズ系は被写体２１に対し、縦方向に配置して撮影レンズ系の光路を曲げることなくカメラ内に収納されている。
【０００７】
カメラの高さＬ2 は奥行きＬ1 に対し大きくカメラ本体１０の外形は薄型で縦長の形状である。カメラ本体１０の上部左側面にはファインダ５が配置されている。カメラ本体１０の前面中央にはレリーズボタン４が設置されている。カメラ本体１０の下部の両側面にはグリップ９が植設されている。カメラ本体１０の上面と背面の境界部分にはズームボタン３が配置され、さらに背面にはＥＶボタン６，その他のボタン７が配置されている。
【０００８】
左手または右手で上記グリップ９を握り、人指し指をレリーズボタン４の上に置くことができ、さらに親指によってズームボタン３を操作することができる。
撮影レンズ２から取り入れた被写体像はＣＣＤ２２上に結像し、所定の処理を施した画像がカメラ本体１０の側面に設置されている液晶画面１３に表示される。
ミラー１９を付設したカバー２０の一端はヒンジ２４により回動可能にカメラ本体１０に取り付けられており、折り畳んだ状態ではミラー１９が液晶画面１３に対面した状態で覆い被さっている。
カバー２０の他端にはフレネル接眼レンズ１５の他端がヒンジ１７により回動可能に取り付けられている。
【０００９】
カバー２０のヒンジ１７に近接して円弧状の溝（ガイド）１８が設けられている。一方、フレネル接眼レンズ１５にはピン２３が植設され、該ピン２３は溝１８に嵌合し案内される。フレネル接眼レンズ１５が最も開いたとき、溝１８の端部に突き当たり、図３の（ｂ）に示すような角度でフレネル接眼レンズ１５は位置付けられる。フレネル接眼レンズ１５は通常、図示しない弾性部材（コイルバネなど）により開く方向に付勢されている。  図４（ａ）にカバー２０が閉じ、ファインダが折り畳んである状態が示されている。フレネル接眼レンズ１５の開く方向への付勢力によりカバー２０も開く方向に押されることとなる。カバー２０を閉じた状態ではロック部１６をスライドすることにより開こうとするカバー２０をロック状態に保持している。
このようにファインダを構成するカバー２０を折りたたむことにより、収納時のカメラのコンパクト化を図ることができる。
【００１０】
図４（ｂ）に折り畳み液晶ファインダの他の使用状態を示してあり、液晶画面を直接観察する場合の例である。
カバー２０は９０度以上に拡げることが可能であり、このように広角に開くことにより側面から直接に液晶画面を観察できる。
このような角度でカバー２０を開く場合には予め接眼ロック部１４でフレネル接眼レンズ１５が開かないようにロックを行う。
【００１１】
図５は図１のディジタルカメラを片手で保持し、被写体に向けて構えた状態を示している。
本発明によるディジタルカメラを把持する形はピストルを保持する形に似ており、構えた状態は安定する。
このように構えることにより撮影者が被写体に正対しながら液晶画面をフレネル接眼レンズで視度が合った状態で見ることができる。また、フレネル接眼レンズは液晶画面を拡大または縮小して見やすくする役目を果たすこともできる。
【産業上の利用可能性】
【００１２】
小型，薄型化および持ちやすさを実現できるディジタルカメラの液晶ファインダとして用いる。
【図面の簡単な説明】
【００１３】
【図１】本発明によるディジタルカメラの外観を示す正面図である。
【図２】撮影光学系とファインダの関係を示す図である。
【図３】図１の液晶ファインダの詳細を説明するための図で、（ａ）は背面図，（ｂ）はＡ部分を拡大した平面図，（ｃ）はＢ部分の拡大図である。
【図４】本発明によるディジタルカメラの折り畳み液晶ファインダの他の使用状態および折り畳み状態を説明するための図である。
【図５】本発明によるディジタルカメラの使用状態を説明するための図である。
【符号の説明】
【００１４】
１  ディジタルカメラ  
２  レンズ  
３  ズームボタン  
４  レリーズボタン  
５  ファインダ
６  ＥＶボタン
７  その他のボタン
８  ストラップ
９  グリップ
１０  カメラ本体
１１  遮光板
１２  枠
１３  液晶画面
１４  接眼ロック部
１５  フレネル接眼レンズ
１６  ロック部
１７  ヒンジ
１８  ガイド部
１９  ミラー
【図１】
2005086517.tif 000003
【図２】
2005086517.tif 000004
【図３】
2005086517.tif 000005
【図４】
2005086517.tif 000006
【図５】
2005086517.tif 000007